(57)【特許請求の範囲】
【請求項１】
長手方向に沿って凹溝が形成された面が表面となり、壁面に対向する面が裏面となるように、壁隅を挟んで壁縁に配置された一対の幅木又は廻り縁である壁縁用板材を覆うコーナーカバーであって、該コーナーカバーは、
天井又は床に端縁部を対向配置することにより、前記一対の壁縁用板材の前記表面を被覆する表面被覆部と、
前記壁縁用板材の裏面と前記壁面との間に配置することにより、前記表面被覆部と共働して前記壁縁用板材を挟持する板状の挟持羽根部と、
前記一対の壁縁用板材の端面を仕切るように鉛直方向に沿って延在し、前記挟持羽根部に接合することにより前記挟持羽根部を支持する羽根支持部と、を少なくとも備えており、
前記表面被覆部には、前記凹溝に係合する係合凸部が形成されており、前記挟持羽根部と前記羽根支持部との接合部分は、鉛直方向において前記係合凸部よりも前記端縁部側にあることを特徴とするコーナーカバー。
【請求項２】
前記挟持羽根部の前記端縁部側の端部は、先細り形状になっていることを特徴とする請求項１に記載のコーナーカバー。
【請求項３】
前記羽根支持部の前記端縁部側の端部は、前記突出端部の先端に一致するように、アーチ状に凹んでいることを特徴とする請求項２に記載のコーナーカバー。
【請求項４】
前記挟持羽根部には、前記係合凸部側に向かって張出した張出し部が形成されていることを特徴とする請求項１〜３のいずれかに記載のコーナーカバー。
【請求項５】
前記張出し部は、前記羽根支持部の近傍に切欠き部を形成していることを特徴とする請求項４に記載のコーナーカバー。
【請求項６】
前記挟持羽根部は、前記端縁部側に進むに従って、前記表面被覆部との間隔が広くなるように傾斜している特徴とする請求項１〜５のいずれかに記載のコーナーカバー。
【請求項７】
前記張出し部は、該張出し部以外の前記挟持羽根部の部分よりもより大きく傾斜していることを請求項６に記載のコーナーカバー。
【請求項８】
前記コーナーカバーは、前記表面被覆部に連続し、前記一対の壁縁用板材の側面を被覆する側面被覆部を備えており、前記羽根支持部は、前記側面被覆部に接合されていることを特徴とする請求項１〜７のいずれかに記載のコーナーカバー。
【請求項９】
前記係合凸部のうち前記表面被覆部の周縁近傍の部分には、前記係合凸部の他の部分に比べて膨らんだ隆起部が形成されていることを特徴とする請求項１〜８のいずれかに記載のコーナーカバー。
【発明の詳細な説明】
【技術分野】
【０００１】
本発明は、壁隅を挟んで配置された一対の幅木又は廻り縁を被覆するコーナーカバーに係り、特に、長手方向に沿って凹溝が形成された表面を有する幅木又は廻り縁を被覆するに好適なコーナーカバーに関する。
【背景技術】
【０００２】
従来から、室内の壁のうち床に接する壁縁には、長尺状の壁縁用板材である幅木が取り付けられており、天井に接する壁縁には、長尺状の壁縁用板材である廻り縁が取り付けられている。そして、室内のうち入隅又は出隅である壁隅には、一対の壁縁用板材が、壁隅を挟んで配置されている。
【０００３】
壁隅における壁縁用板材を施工する際には、壁隅に配置される壁縁用板材の端面となる木口が斜め４５°に傾斜するように、壁縁用板材をカットしたり、予め傾斜した木口に加工されたコーナー用の壁縁部材を準備したりして、これらの傾斜した木口同士に隙間ができないように木口同士を突合せている。しかしながら、施工者の施工技術、木口の加工精度の違いにより、正確に木口同士を突合わせることは容易ではなく、施工品質にばらつきが出易いのが実情である。また、仮に、木口の突合わせがうまくいった場合であっても、長年の使用に伴い、木口近傍から壁面に貼り付けられた化粧シートの一部が剥離したり、基材との収縮差によって木口近傍に隙間が生じたりして、壁隅の意匠性を損なうことがある。
【０００４】
このような点を鑑みて、例えば、壁隅を挟んで配置された一対の壁縁用板材（幅木又は廻り縁）を覆うためのコーナーカバーが提案されている。コーナーカバーの一例として、壁面と、これに対向する壁縁用板材の裏面との間に、鉛直方向から挿入される挟持羽根部を有し、該挟持羽根部とカバー本体との間において壁縁用板材を挟持するコーナーカバーが提案されている（例えば特許文献１参照）。
【０００５】
また、別の態様として、長手方向に沿って凹溝が形成された面が表面となり、壁面に対向する面が裏面となるように配置される壁縁用板材を用いた場合には、この表面の凹溝に係合するような係合凸部をカバー内側面に設けたコーナーカバーが提案されている（例えば特許文献２参照）。
【先行技術文献】
【特許文献】
【０００６】
【特許文献１】実用新案登録第３１２７１４７号公報
【特許文献２】実開平５−７８７９４号公報
【発明の概要】
【発明が解決しようとする課題】
【０００７】
しかしながら、特許文献１に記載のコーナーカバーの場合、挟持羽根部とカバー本体との間において壁縁用板材を挟持しているので、コーナーカバーの水平方向の移動は拘束されるが、鉛直方向の移動は拘束されない。従って、コーナーカバーの鉛直方向の移動を抑えるためには、コーナーカバーと壁縁用板材とを接着剤や両面テープで固着する必要があった。
【０００８】
また、特許文献２に記載のコーナーカバーの場合、壁縁用板材の表面に形成された凹溝と、コーナーカバーの内側面に形成された係合凸部とが係合するため、コーナーカバーの鉛直方向の移動は拘束されるが、水平方向の移動は拘束されない。従って、このような場合であっても、コーナーカバーの水平方向の移動を抑えるためには、コーナーカバーと壁縁用板材とを接着剤や両面テープで固着する必要があった。
【０００９】
このように、コーナーカバーに接着剤を用いた場合、施工時には、コーナーカバーは固着されているが、経年の使用による接着剤または両面テープの粘着剤の劣化、コーナーカバーと壁縁用板材との収縮差等により、壁隅からコーナーカバーが外れてしまうことがあった。このような場合、メンテナンスをする際には、壁縁用板材を再手配し再設置（張替え）をすることもあり、メンテナンスの時間、手間、及びコストがかかり過ぎてしまうことがあった。
【００１０】
本発明は、このような課題を解決すべくなされたものであり、その目的とするところは、接着剤又は両面テープを用いることなく、壁隅を挟んで配置された一対の壁縁用板材に容易に取り付けることができ、長期間使用しても脱落することがないコーナーカバーを提供することにある。
【課題を解決するための手段】
【００１１】
前記課題を解決すべく、発明者らは、以下に示すような検討を重ねた。例えば、特許文献１に示す挟持羽根部を用いた場合に、壁面に対向する壁縁用板材の裏面に、この挟持羽根部と嵌合する嵌合溝を設ければ、コーナーカバーの鉛直方向の移動が拘束される。しかしながら、この場合、壁縁用板材のコーナー近傍の裏面に新たな溝加工を施す必要があり、このような加工は、費用や手間等を考えた場合、現実的ではないと考えた。
【００１２】
そこで、挟持羽根部を用いつつ、壁縁用板材の裏面の加工は行わず、特許文献２に示すように、壁縁用板材の表面に長手方向に沿って形成された凹溝を利用することが望ましいと考えた。なお、この凹溝は、壁縁用板材を壁に固定する釘等の固定具が入り込むための溝であるため、一般的な幅木又は廻り縁であれば表面に形成されているものであり、この凹溝を利用すれば、新たな溝加工を施す必要がないので余分なコストはかからない。
【００１３】
このような観点から、発明者らは、挟持羽根部と、表面の凹溝に係合する係合凸部と、組み合わせた数多くの種類のコーナーカバーを製作し、製作したコーナーカバーを用いて、繰り返し実験を行った。その際に、図１１（ａ）に示すコーナーカバー（幅木の入隅用コーナーカバー）９０を用いて、図１１（ｂ）に示すように鉛直方向Ｖから壁隅用板材（幅木５０）にコーナーカバー９０を挿入しよう（差し込もう）とした場合、コーナーカバー９０の挟持羽根部９２が破損することがわかった。
【００１４】
そこで、発明者らは、鋭意検討を重ねた結果、図１１（ｃ）に示すように、コーナーカバー９０を壁縁用板材５０に挿入する初期段階においては、スムーズにコーナーカバーを容易に下方に移動させることができるが、図１１（ｄ）に示すように、ひとたび、係合凸部９３が壁縁用板材５０の表面５３に乗り上げると、係合凸部９３に対向する位置の挟持羽根部９２の部分９２ａに過度の力が作用してしまい、これによりこの部分９２ａが破損したものと考えた。このような現象は、出隅用幅木用のコーナーカバー、及びこれらに対応する廻り縁用のコーナーカバーであっても、同様に発生すると考えられる。
【００１５】
そして、この破損原因を究明した結果、発明者らは、これらいずれのコーナーカバーを用いた場合であっても、挟持羽根部と係合凸部との双方を用いて、挿入時に挟持羽根部に過度の力が作用しないようにする（挟持羽根部が破損しないようにする）ためには、係合凸部に対向する位置に挟持羽根部の部分が存在しないことが最も重要であるという、これまでに無い新たな知見を得た。
【００１６】
本発明は、発明者らが得たこの新たな知見に基づくものであり、本発明に係るコーナーカバーは、長手方向に沿って凹溝が形成された面が表面となり、壁面に対向する面が裏面となるように、壁隅を挟んで壁縁に配置された一対の幅木又は廻り縁である壁縁用板材を覆うコーナーカバーであって、該コーナーカバーは、天井又は床に端縁部を対向配置することにより、前記一対の壁縁用板材の前記表面を被覆する表面被覆部と、前記壁縁用板材の裏面と前記壁面との間に配置することにより、前記表面被覆部と共働して前記壁縁用板材を挟持する板状の挟持羽根部と、前記一対の壁縁用板材の端面を仕切るように鉛直方向に沿って延在し、前記挟持羽根部に接合することにより前記挟持羽根部を支持する羽根支持部と、を少なくとも備えており、前記表面被覆部には、前記凹溝に係合する係合凸部が形成されており、前記挟持羽根部と前記羽根支持部との接合部分は、鉛直方向において前記係合凸部よりも前記端縁部側にあることを特徴とするものである。
【００１７】
本発明によれば、挟持羽根部とこれを支持する羽根支持部と接合部分は、鉛直方向において係合凸部よりも前記端縁部側にあるので、係合凸部に対向する位置には、羽根支持部に接合された挟持羽根部の接合部分が存在しないことになる。これにより、コーナーカバーを鉛直方向から壁縁用板材に取り付ける際に、表面被覆部に形成された係合凸部が、壁縁用板材の凹溝に係合する前に、壁縁用板材の表面に乗り上げたとしても、係合凸部に対向する位置には挟持羽根部は存在しないので、過度の力が作用することによる挟持羽根部の破損はなく、スムーズにコーナーカバーを壁隅に配置することができる。
【００１８】
このような結果、表面被覆部と挟持羽根部との間において壁縁用板材が挟持されるので、コーナーカバーの水平方向の移動を拘束することができ、さらに、壁縁用板材の表面に形成された凹溝と、コーナーカバーの内側面に形成された係合凸部とが係合するので、コーナーカバーの鉛直方向の移動を拘束することができ、長年使用した場合であっても、コーナーカバーが壁縁用板材から脱落することはない。
【００１９】
ここで、本発明にいう「挟持羽根部と羽根支持部との接合部分が、鉛直方向において係合凸部よりも端縁部側にある」とは、その鉛直方向における挟持羽根部と羽根支持部との接合部分（接合部分の鉛直方向に沿った端縁部側と反対側の少なくとも端部分）が、少なくとも係合凸部の頂部よりも端縁部側にあることをいい、この係合凸部の頂部に対向する位置に、接合部分が位置しないことを意味するものである。そして、取り付け対象が幅木の場合、接合部分は、係合凸部の頂部よりも下側にあり、廻り縁の場合、接合部分は、係合凸部の頂部よりも上側にあることになる。
【００２０】
このような挟持羽根部は、上述した接合位置において羽根支持部に接合され、かつ、鉛直方向から壁縁用板材の裏面と壁面との間にスムーズに挟持羽根部を挿入し、壁縁用板材を挟持することができるのであれば、その形状、大きさ等は特に限定されるものではない。しかしながら、より好ましくは、前記挟持羽根部の前記端縁部側の端部は、先細り形状になっている。本発明によれば、挟持羽根部の端縁部側の端部が先細り形状となっているので、壁縁用板材のコーキングを切りながら、壁縁用板材の裏面と壁面との隙間に、挟持羽根部が容易に入り込むことができる。
【００２１】
また、羽根支持部は、挟持羽根部と上述した接合位置で接合し、安定して挟持羽根部を支持することができるのであれば、特に、その構造は限定されるものではない。しかしながら、より好ましくは、前記羽根支持部の前記端縁部側の端部が、前記突出端部の先端に一致するように、アーチ状に凹んでいる。本発明によれば、羽根支持部の前記端縁部側の端部が、アーチ状となっているので、コーナーカバー挿入時に、この端部における応力集中を回避することができる。また、挟持羽根部の先細り形状の端部と相まって、挟持羽根部と羽根支持部とにより得られる端部形状は、鏃（やじり）形状となるので、壁縁用板材の裏面と壁面との間に、コーキング材などの樹脂材が存在した場合であっても、この端部によりこの樹脂材を切断しながら、よりスムーズにコーナーカバーを壁隅に挿入することができる。
【００２２】
また、本発明に係るコーナーカバーの前記挟持羽根部には、前記係合凸部側に向かって張出した張出し部が形成されていることが好ましく、前記張出し部は、前記羽根支持部の近傍に切欠き部を形成していることがより好ましい。
【００２３】
本発明によれば、この張出し部により、さらに補助的に壁縁用板材を挟持することができるので、挟持羽根部の挟持をより強固にすることができる。また、張り出部を、係合凸部に対向した位置、さらには、係合凸部を超えた位置においても、設けてもよい。また、張出し部の羽根支持部の近傍に切欠き部を形成することにより、張出し部は、羽根支持部に干渉することなく水平方向に撓み易くなり、コーナーカバーを鉛直方向から取り付ける際に、張出し部は引っかかりなくスムーズに、壁縁用板材の裏面と壁面との隙間に、挟持羽根部が容易に入り込むことができる。
【００２４】
さらに、本発明に係るコーナーカバーの前記挟持羽根部は、前記端縁部側に進むに従って、前記表面被覆部との間隔が広くなるように傾斜していることが好ましく、前記張出し部は、該張出し部以外の挟持羽根部の部分よりもより大きく傾斜していることがより好ましい。
【００２５】
本発明によれば、挟持羽根部は、端縁部側に進むに従って、表面被覆部との間隔が広くなるように傾斜しているので、挟持羽根部と表面被覆部との間に形成された挟持空間に、壁隅用板材を案内し易い。さらに、張出し部の傾斜角度が、張出し部以外の挟持羽根部の部分の傾斜角度よりもより大きくなっているので、張出し部による壁隅用板材の挟持をより向上させることができ、コーナーカバー取り付け後のガタツキを軽減することができる。
【００２６】
さらに、本発明に係るコーナーカバーは、前記表面被覆部と連続し、前記一対の壁縁用板材の側面を被覆する側面被覆部を備えており、前記羽根支持部は、前記側面被覆部の内側面に接合されている。このような構造にすることで、羽根支持部は補強されるので、例えば、側面被覆部を、金槌やゴムハンマー等で鉛直方向から軽く叩くことにより、挟持羽根部及び羽根支持部が破損することなく、容易にコーナーカバーを取り付けることができる。
【００２７】
また、本発明に係るコーナーカバーの前記係合凸部のうち前記表面被覆部の周縁近傍の部分には、前記係合凸部の他の部分に比べて膨らんだ隆起部が形成されていることが好ましい。本発明によれば、表面被覆部の周縁近傍に隆起部を設けることにより、コーナーカバーを鉛直方向から壁縁用板材に挿入する際に、係合凸部のうち隆起部分のみが、壁縁用板材の表面に接触した状態で乗り上げるので、壁縁用板材との接触面積を小さくすることができ、スムーズにコーナーカバーを壁隅に配置することができる。
【発明の効果】
【００２８】
本発明によれば、接着剤又は両面テープを用いることなく、壁隅の壁縁用板材に容易に取りつけることができ、長期間使用しても脱落することがない。
【図面の簡単な説明】
【００２９】
【図１】第一実施形態のコーナーカバーとして、幅木の入隅用、幅木の出隅用、廻り縁の入隅用、廻り縁の出隅用のコーナーカバーを配置した状態を示した模式的斜視図。
【図２】第一の実施形態に係る幅木の入隅用のコーナーカバーを説明するための模式図であり、（ａ）は、内面側からコーナーカバーを見た斜視図、（ｂ）は、外面側からコーナーカバーを見た斜視図であり、（ｃ）は、（ａ）に示すＡ矢視側面図であり、（ｄ）は、（ａ）に示す、Ｂ矢視側面図。
【図３】（ａ）は、図１のＡ−Ａ線に沿った矢視断面図であり、（ｂ）は、図１のＢ−Ｂ線に沿った矢視断面図。
【図４】コーナーカバーを幅木と壁隅との間に挿入する状態を説明するための模式的断面図であり、（ａ）は、コーナーカバーの取り付けの初期状態の断面図、（ｂ）は、係合凸部が幅木の表面に乗り上げた状態の断面図、（ｃ）は、壁縁用板材へのコーナーカバーの取り付けが完了した状態の断面図。
【図５】第一の実施形態に係る幅木の出隅用のコーナーカバーを説明するための模式図であり、（ａ）は、内面側からコーナーカバーを見た斜視図、（ｂ）は、外面側からコーナーカバーを見た斜視図であり、（ｃ）は、（ａ）に示すＣ矢視側面図であり、（ｄ）は、（ａ）に示す、Ｄ矢視側面図。
【図６】第二の実施形態に係る幅木の出隅用のコーナーカバーを説明するための模式図であり、（ａ）は、内面側からコーナーカバーを見た斜視図、（ｂ）は、外面側からコーナーカバーを見た斜視図であり、（ｃ）は、（ａ）に示すＡ矢視側面図であり、（ｄ）は、（ａ）に示す、Ｂ矢視側面図。
【図７】図６（ａ）のＣ−Ｃ線に沿った矢視断面図。
【図８】図６に示すコーナーカバーを設置する方法を説明するための図であり、（ａ）は、上方からコーナーカバーを挿入する方法を説明するための図、（ｂ）は、水平方向からコーナーカバーを挿入する方法を説明するための図。
【図９】（ａ）は、図８（ａ）のＤ−Ｄ線に沿った矢視断面図、（ｂ）は、図８（ａ）のＥ−Ｅ線に沿った矢視断面図。
【図１０】第二の実施形態に係る幅木の出隅用のコーナーカバーを説明するための模式図であり、（ａ）は、内面側からコーナーカバーを見た斜視図、（ｂ）は、外面側からコーナーカバーを見た斜視図であり、（ｃ）は、（ａ）に示すＣ矢視側面図であり、（ｄ）は、（ａ）に示す、Ｄ矢視側面図。
【図１１】これまでの実験により製作した幅木の入隅用のコーナーカバーの一例を説明するためのであり、（ａ）は、コーナーカバーの模式的斜視図、（ｂ）上方からコーナーカバーを取り付ける方法を説明するための図、（ａ）は、コーナーカバーの取り付けの初期状態の断面図、（ｂ）は、係合凸部が幅木の表面に乗り上げた状態の断面図。
【発明を実施するための形態】
【００３０】
以下に、図面に基づき、本発明に係るコーナーカバーの２つの実施形態を説明する。
【００３１】
図１は、コーナーカバーとして、第一実施形態に係るコーナーカバーを配置した状態を示した模式的斜視図である。図２は、第一の実施形態に係る幅木の入隅用コーナーカバーを説明するための模式図であり、（ａ）は、内面側からコーナーカバーを見た斜視図、（ｂ）は、外面側からコーナーカバーを見た斜視図であり、（ｃ）は、（ａ）に示すＡ矢視側面図であり、（ｄ）は、（ａ）に示すＢ矢視側面図である。図３の（ａ）は、図１のＡ−Ａ線に沿った矢視断面図であり、（ｂ）は、図１のＢ−Ｂ線に沿った矢視断面図である。図４はコーナーカバーを幅木と壁隅との間に挿入する状態を説明するための模式的断面図であり、（ａ）は、コーナーカバーの取り付けの初期状態の断面図、（ｂ）は、係合凸部が幅木の表面に乗り上げた状態の断面図、（ｃ）は、壁縁用板材へのコーナーカバーの取り付けが完了した状態の断面図である。
【００３２】
本実施形態に係るコーナーカバー１Ａは、図１に示す幅木５０に用いるためのコーナーカバーである。まず、入隅ＣＡ及び出隅ＣＢに配置された幅木５０について説明する。幅木５０は、長尺状の壁縁用板材であり、長手方向Ｌに沿って凹溝５１が形成された面が表面５３となり、壁面Ｗに対向する面が裏面５４となり（図３参照）、一方の側面５５が天井側に向き、他方の側面５６が床側に接する（図４参照）ように壁隅の壁面Ｗに配置されている。また、壁隅となる入隅ＣＡ又は出隅ＣＢでは、一対の幅木５０が、入隅ＣＡ又は出隅ＣＢを挟んで、幅木５０の端面（木口）５８が向いあうように配置されている（図３参照）。
【００３３】
まず、幅木の入隅用コーナーカバー１Ａについて説明する。図２及び図３（ａ）に示すように、幅木の入隅用コーナーカバー１Ａは、入隅ＣＡを挟んで配置された一対の幅木５０を覆う樹脂製のコーナーカバーであり、射出成形により一体成形されている。コーナーカバー１Ａは、表面被覆部１０Ａ、側面被覆部１５Ａ、挟持羽根部２０Ａ、及び羽根支持部３０Ａを少なくとも備えている。
【００３４】
表面被覆部１０Ａは、床に近接するように、下方側の端縁部１１Ａを床に対向配置することにより、一対の幅木５０，５０の表面５３を被覆する部分であり、入隅の形状に合わせて水平方向に沿った断面がＬ字状になっている。表面被覆部１０Ａの内側面１２Ａには、幅木５０の凹溝５１に係合する係合凸部１３Ａが形成されている。また、側面被覆部１５Ａは、幅木５０の側面５５を被覆する部分であり、表面被覆部１０Ａと連続して形成されている。
【００３５】
挟持羽根部２０Ａは、一対の幅木５０，５０の双方の裏面５４，５４と壁面Ｗとの間に配置するための板状の部分であり、表面被覆部１０Ａと共働して幅木５０を挟持する部分である（図３参照）。具体的には、表面被覆部１０Ａから入隅ＣＡに向って延在した羽根支持部３０Ａが挟持羽根部２０Ａを支持することにより、コーナーカバー１Ａには、表面被覆部１０Ａと挟持羽根部２０Ａとの間に幅木５０を挟持するための挟持空間ＳＡが形成される。なお、挟持羽根部２０Ａの肉厚は、コーナーカバー取り付け時に、挟持羽根部２０Ａが破損せず、設置後に幅木５０が浮き上らない程度であることが望ましい。
【００３６】
さらに羽根支持部３０Ａは、入隅の一対の幅木５０の端面５８を仕切るように、表面被覆部１０Ａの内側面１２Ａから入隅ＣＡに向って鉛直方向Ｖに沿って延在しており、挟持羽根部２０Ａを鉛直方向Ｖに沿って接合部３３Ａにおいて接合することにより、挟持羽根部２０Ａを支持している。
【００３７】
挟持羽根部２０Ａと羽根支持部３０Ａとの接合部分３３Ａは、鉛直方向Ｖにおいて係合凸部１３Ａよりも端縁部１１Ａ側（下側）にある（図２（ｃ），（ｄ）参照）。換言すると、接合部分３３Ａの少なくとも上側（端縁部１１Ａと反対側）の端部の位置Ｐ２が、鉛直方向Ｖにおいて係合凸部１３Ａの頂部の位置Ｐ１よりも下側となっている。
【００３８】
さらに、挟持羽根部２０Ａの端部のうち端縁部１１Ａ側（下側）の下方端部２１Ａは、Ｖ字状に先細り形状（テーパー付きの形状）となっており、この下方端部２１Ａの先細りの先端と、羽根支持部３０Ａの端部のうち端縁部１１Ａ側（下側）の下方端部３１Ａとが一致している。
【００３９】
このように構成されたコーナーカバー１Ａは、挟持羽根部２０Ａとこれを支持する羽根支持部３０Ａとの接合部分３３Ａが、鉛直方向Ｖにおいて係合凸部１３Ａよりも下側（端縁部１１Ａ側）にあるので、係合凸部１３Ａに対向する位置には、羽根支持部３０Ａに接合された挟持羽根部２０Ａの接合部分が存在しないことになる。
【００４０】
これにより、図４（ａ）に示すように、コーナーカバー１Ａを下方に向って鉛直方向Ｖから、挟持羽根部２０Ａが、幅木５０の裏面５４と壁面Ｗとの隙間に差し込まれ、図４（ｂ）に示すように、表面被覆部１０Ａに形成された係合凸部１３Ａが、幅木５０の凹溝５１に係合する前に、表面５３に乗り上げたとしても、係合凸部１３Ａに対向する位置には挟持羽根部２０Ａの接合部分が存在しない。
【００４１】
この結果、図４（ｂ）の状態からさらにコーナーカバー１Ａを、下方に押し込んだとしても、挟持羽根部２０Ａには過度の力が作用することはなく（取り付け時における挟持羽根部２０Ａの破損はなく）、スムーズに、図４（ｃ）に示すようにコーナーカバー１Ａを入隅ＣＡに配置することができる。また、挟持羽根部２０Ａの端部２１Ａが先細り形状となっているので、幅木５０のコーキングを切りながら、幅木５０の裏面５４と壁面Ｗとの隙間に、挟持羽根部２０Ａを容易に入り込むことができる。
【００４２】
このようにして、表面被覆部１０Ａと挟持羽根部２０Ａとの間において形成された挟持空間に、幅木５０が挟持されるので、コーナーカバー１Ａの水平方向（壁面と垂直方向）の移動を拘束することができ、さらに、幅木５０の凹溝５１と、コーナーカバー１Ａの係合凸部１３Ａとが係合するので、コーナーカバー１Ａの鉛直方向Ｖの移動を拘束することができる。この結果、コーナーカバー１Ａが幅木５０から脱落することを防止することができる。また、これまでにコーナーカバー１Ａが取り付けられていない入隅ＣＡにおいて、仮に何らかの衝撃等により、幅木５０の一部が剥離、損傷等した場合であっても、コーナーカバー１Ａを簡単に取り付けることができるので、損傷した幅木５０の意匠性を保ちつつ、その部分を修復することができる。
【００４３】
図５は、第一の実施形態に係る幅木の出隅用のコーナーカバーを説明するための模式図であり、（ａ）は、内面側からコーナーカバーを見た斜視図、（ｂ）は、外面側からコーナーカバーを見た斜視図であり、（ｃ）は、（ａ）に示すＣ矢視側面図であり、（ｄ）は、（ａ）に示す、Ｄ矢視側面図である。
【００４４】
なお、図５に示す、幅木の出隅用のコーナーカバー１Ｂは、図１に示す入隅用のコーナーカバー１Ａを出隅の形状に合わせて各部分の形状を変更している。従って、幅木の入隅用のコーナーカバー１Ａと同じ機能を有する部分には、符号の末尾の文字「Ａ」を「Ｂ」に変更した符号を付し、以下にその変更点のみを、図５と共に、図１及び図３（ｂ）を参照して簡単に説明する。
【００４５】
図５に示すように、幅木の出隅用のコーナーカバー１Ｂは、出隅ＣＢの形状に合わせて、表面被覆部１０Ｂと、挟持羽根部２０Ｂが形成されており（図１及び図３ｂ参照）、挟持羽根部２０Ｂとこれを支持する羽根支持部３０Ｂとの接合部分３３Ｂは、鉛直方向Ｖにおいて係合凸部１３Ｂよりも下側（端縁部１１Ｂ側）にあるので、幅木の入隅用のコーナーカバー１Ａの上述した効果と同様の効果が得られる。
【００４６】
また、図２及び図５において、幅木用のコーナーカバー１Ａ，１Ｂを示したが、図１に示す廻り縁６０の形状に合わせて、図２及び図５と同様の構造のコーナーカバー１Ｃ，１Ｄを製作すれば、図１に示す廻り縁の入隅用、又は廻り縁の出隅用のコーナーカバー１Ｃ，１Ｄも幅木用コーナーカバー１Ａ，１Ｂと同じ構造であるので、上述したコーナーカバー１Ａ，１Ｂと同様の効果が得られることは勿論である。
【００４７】
図６は、第二の実施形態に係る幅木の入隅用を説明するための模式図であり、（ａ）は、内面側からコーナーカバーを見た斜視図、（ｂ）は、外面側からコーナーカバーを見た斜視図であり、（ｃ）は、（ａ）に示すＡ矢視側面図であり、（ｄ）は、（ａ）に示す、Ｂ矢視側面図である。図７は、図６（ａ）のＣ−Ｃ線に沿った矢視断面図である。
【００４８】
なお、第二実施形態のコーナーカバーが、第一実施形態のコーナーカバーと相違する点は、挟持羽根部及び羽根支持部の構造と、係合凸部の一部の構造であり、その他の部分は、同じ符号を付して、詳細な説明は省略する。
【００４９】
図６に示すように、コーナーカバー１Ａ’の挟持羽根部２０Ａ’には、鉛直方向Ｖにおいて、接合部分３３Ａから係合凸部１３Ａ側に向かって、縁部２２Ａの一部が傾斜して張出した張出し部２３Ａが形成されており、張出し部２３Ａは、羽根支持部３０Ａ’の近傍に切欠き部２４Ａを形成している。
【００５０】
また、図７に示すように、挟持羽根部２０Ａ’は、端縁部１１Ａ側（下側）に進むに従って、表面被覆部１０Ａの内側面１２Ａとの間隔が広くなるように傾斜している。また、端縁部側（下側）における挟持羽根部２０Ａ’と表面被覆部１０Ａとの間隔は、幅木５０が案内できるように、幅木５０の厚みよりも広くなっている。さらに、張出し部２３Ａは、張出し部２３Ａ以外の挟持羽根部２０Ａ’の部分２５Ａの傾斜角度θ１よりもより大きい傾斜角度θ２で傾斜しており、係合凸部側（上側）における張出し部２３Ａと表面被覆部１０Ａとの間隔は、この間で幅木５０をより確実に挟持できるように、幅木５０の厚みよりも狭くなっている。
【００５１】
羽根支持部３０Ａ’は、端縁部側（下側）の端部３２Ａにおいて、設置時の応力集中による挟持羽根部２０Ａ’の破損・樹脂の白化を防止すべくアーチ状に凹んでいる。また、端部３２Ａは、挟持羽根部２０Ａ’の先細り形状となる下方端部２１Ａの先端に一致している。これにより、挟持羽根部２０Ａ’と羽根支持部３０Ａ’との端部形状は、鏃（やじり）形状となっている。さらに羽根支持部３０Ａ’は、上側において、側面被覆部１５Ａの内側面１６Ａに接合されている。
【００５２】
係合凸部１３Ａのうち表面被覆部１０Ａの周縁近傍の部分には、係合凸部１３Ａの他の部分に比べてさらに隆起した隆起部１４Ａが形成されている。この隆起部１４Ａは、表面被覆部１０Ａの一部を、係合凸部１３よりもさらに内側（幅木が配置される側）に屈曲することにより形成されており、隆起部１４Ａは、表面被覆部１０Ａの内側面１２Ａに対して傾斜した面を有している。
【００５３】
以下に図６に示すコーナーカバーを取り付ける方法を図８及び図９を参照して説明する。図８の（ａ）は、上方からコーナーカバーを挿入する方法を説明するための図、（ｂ）は、水平方向からコーナーカバーを挿入する方法を説明するための図である。図９（ａ）は、図８（ａ）のＤ−Ｄ線に沿った矢視断面図、図９（ｂ）は、図８（ａ）のＥ−Ｅ線に沿った矢視断面図である。
【００５４】
図８（ａ）に示すように、鉛直方向からコーナーカバー１Ａ’を取り付けようとした場合、側面被覆部１５Ａを、金槌やゴムハンマー等で鉛直方向Ｖから軽く叩くことにより、コーナーカバー１Ａ’の挟持羽根部２０Ａ’を幅木５０と壁面Ｗとの隙間に差し込む。羽根支持部３０Ａ’は、側面被覆部１５Ａに接合されているので、コーナーカバー１Ａ’の補強リブとして働くため、コーナーカバー１Ａ’の剛性を高め、樹脂製である挟持羽根部２０Ａ’及び羽根支持部３０Ａ’が白化または破損することなく、容易にコーナーカバー１Ａ’を取り付けることができる。
【００５５】
また、挟持羽根部２０Ａ’は、端縁部１１Ａ側（下側）に進むに従って、表面被覆部１０Ａとの間隔が広くなるように傾斜しているので、挟持羽根部２０Ａ’と表面被覆部１０Ａとの間に、幅木５０が案内されやすい。さらに、挟持羽根部２０Ａ’と羽根支持部３０Ａ’とにより形成される端部形状は、鏃（やじり）形状となっているので、例えば、図９（ｂ）に示すように幅木５０の端面が突き合せて設置されている場合や、幅木５０の裏面と壁面Ｗとの間にコーキング材などの樹脂材が存在した場合であっても、この端部によりこの樹脂材を切断しながら、コーナーカバーを差し込むことができる。
【００５６】
また、張出し部２３Ａに切欠き部２４Ａを形成することにより、張出し部２３Ａは、水平方向に撓み易く、コーナーカバー１Ａ’を鉛直方向Ｖから取り付ける際には、たとえ傾斜角度が大きい張出し部２３Ａであっても、張出し部２３Ａは、幅木１０の裏面５４などに引っかかり難い。
【００５７】
さらに、表面被覆部１０Ａの周縁近傍に隆起部１４Ａを設け、その隆起部１４Ａを傾斜面により形成したので、垂直方向の隆起部１４Ａに作用する負荷の応力集中を軽減し、係合凸部１３Ａのうち隆起部１４Ａのみを幅木５０の表面に接触した状態で（第一実施形態よりもより小さい接触面積で）スムーズに乗り上げることができる。
【００５８】
以上のような理由から、コーナーカバー１Ａ’を破損させることなくスムーズに、幅木５０に取り付けることができる。
【００５９】
なお、図８（ｂ）に示すように、水平方向からコーナーカバー１Ａ’を取り付けてもよく、この場合、張出し部の縁部２２Ａが傾斜しているので、挟持羽根部２０Ａ’をスムーズに幅木５０と壁面Ｗとの間に差し込むことができる。
【００６０】
このようにして得られたコーナーカバー１Ａ’は、張出し部２３Ａを設けることにより、接合部分から係合凸部１３Ａ側の位置においても、張出し部２３Ａが補助的に幅木５０を挟持し、さらには、張出し部２３Ａが、張出し部２３Ａ以外の挟持羽根部２０Ａ’の部分よりもより大きく傾斜しているので、張出し部２３Ａによる幅木５０の挟持をより向上させ、挟持羽根部２０Ａ’の挟持をより強固にすることができる。
【００６１】
図１０は、それぞれ、第二の実施形態に係る幅木の出隅用コーナーカバーを説明するための模式図であり、（ａ）は、内面側からコーナーカバーを見た斜視図、（ｂ）は、外面側からコーナーカバーを見た斜視図であり、（ｃ）は、（ａ）に示すＣ矢視側面図であり、（ｄ）は、（ａ）に示す、Ｄ矢視側面図である。
【００６２】
なお、図１０に示す、幅木の出隅用のコーナーカバー１Ｂ’は、図６に示す入隅用のコーナーカバー１Ａ’を出隅の形状に合わせて各部分の形状を変更した。従って、幅木の入隅用のコーナーカバー１Ａ’と同じ機能を有する部分には、符号の文字「Ａ」を「Ｂ」に変更した符号を付した。そして、図１０に示すように、幅木の出隅用のコーナーカバー１Ｂ’は、出隅ＣＢの形状に合わせて、表面被覆部１０Ｂと、挟持羽根部２０Ｂ’が形成されている。従って、図１０に示す幅木の出隅用のコーナーカバー１Ｂ’は、上述した幅木の入隅用のコーナーカバー１Ａ’の効果と同様の効果が得られ、さらに、図示しない、廻り縁の入隅用、又は廻り縁の出隅用のコーナーカバーであっても同様の効果が得られることは勿論である。
【００６３】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００６４】
例えば、本実施形態の表面被覆部の係合凸部は、幅木の凹溝に係合させたときに、上下方向にクリアランスが設けられるように形成してもよい。これにより、幅木の取り付け位置、凹溝の加工公差により、一方の幅木の凹溝と、他方の幅木の凹溝の位置にずれが生じた場合であっても、このずれを吸収し、双方の凹溝に係合凸部を係合させることができる。
【００６５】
また第二実施形態では、鉛直方向において、張出し部は、係合凸部の位置を越えてないように張り出しているが、挟持羽根部と羽根支持部との接合部分が、鉛直方向において係合凸部が形成された位置よりも端縁部側（下側）となっていれば、張出し部が、係合凸部を越えて張り出してもよい。
【符号の説明】
【００６６】
１Ａ〜１Ｄ，１Ａ’，１Ｂ’：コーナーカバー、１０Ａ，１０Ｂ：表面被覆部、１１Ａ，１１Ｂ：端縁部、１２Ａ，１２Ｂ：内側面、１３Ａ，１３Ｂ：係合凸部、１４Ａ，１４Ｂ：隆起部、１５Ａ，１５Ｂ：側面被覆部、２０Ａ，２０Ｂ、２０Ａ’、２０Ｂ’：挟持羽根部、２３Ａ，２３Ｂ：張出し部、２４Ａ，２４Ｂ：切欠き部、３０Ａ、３０Ｂ、３０Ａ’、３０Ｂ’：羽根支持部、５０：幅木、５１：凹溝、５３：表面、５４：裏面、５５：側面、５８：端面、６０：廻り縁、ＣＡ：入隅、ＣＢ：出隅
【図１】
0005391128.tif 000002
【図２】
0005391128.tif 000003
【図３】
0005391128.tif 000004
【図４】
0005391128.tif 000005
【図５】
0005391128.tif 000006
【図６】
0005391128.tif 000007
【図７】
0005391128.tif 000008
【図８】
0005391128.tif 000009
【図９】
0005391128.tif 000010
【図１０】
0005391128.tif 000011
【図１１】
0005391128.tif 000012